(57)【要約】【課題】小型化が可能であって美観に優れ、しかも快適なシャワー吐水を実現することのできる、複数パターンのシャワー流でのシャワー吐水が可能な水栓設備におけるシャワー吐水装置を提供する。【解決手段】シャワー吐水装置２８において、第１パターンのシャワー流を流出させる第１シャワー吐水部５６と、第２パターンのシャワー流を流出させる第２シャワー吐水部５８とを吐水方向に重複して設ける。そして第１シャワー吐水部５６に対する第２シャワー吐水部５８の相対関係位置を、第１シャワー吐水部５６からの第１パターンのシャワー流が第２シャワー吐水部５８に当ることなくそのまま第２シャワー吐水部５８を通過して吐水される位置と、第２シャワー吐水部５８に当って第２シャワー吐水部５８により第２パターンのシャワー流に変換される位置との間で切替えを行う。【選択図】        図３
2005226410.tif 000002
【特許請求の範囲】
【請求項１】
多数のシャワー孔から設定した第１パターンのシャワー流を流出させるシャワー吐水部と、該第１パターンのシャワー流をこれとは異なる第２パターンのシャワー流に変換する変換部と、該シャワー吐水部と該変換部との相対移動によりシャワー流を該第１パターンのシャワー流から該第２パターンのシャワー流に若しくはその逆に切り替える切替手段とを有していることを特徴とする水栓設備におけるシャワー吐水装置。
【請求項２】
請求項１において、前記変換部は前記シャワー吐水部におけるシャワー孔の形状を変更することによってシャワー流のパターンを変更するものであることを特徴とする水栓設備におけるシャワー吐水装置。
【請求項３】
請求項１，２の何れかにおいて、前記切替手段は前記変換部を前記シャワー吐水部に対して吐水方向に相対移動させることによって前記切替えを行うものとなしてあることを特徴とする水栓設備におけるシャワー吐水装置。
【請求項４】
（イ）多数のシャワー孔から設定した第１パターンのシャワー流を流出させる第１シャワー吐水部と、（ロ）多数のシャワー孔から該第１パターンとは異なる第２パターンのシャワー流を流出させる、シャワー流のパターンの変換部としての第２シャワー吐水部と、（ハ）シャワー吐水を該第１パターンのシャワー流と該第２パターンのシャワー流との間で切り替える切替手段とを有しており、
前記第１シャワー吐水部は吐水方向の上流側に、前記第２シャワー吐水部は下流側に配置されているとともに、前記切替手段が該第１シャワー吐水部に対する該第２シャワー吐水部の相対関係位置を、該第１シャワー吐水部からの前記第１パターンのシャワー流が該第２シャワー吐水部に当ることなくそのまま該第２シャワー吐水部の前記シャワー孔を通過して吐水される位置と、該第２シャワー吐水部に当って該第２シャワー吐水部により前記第２パターンのシャワー流に変換されて、該第２シャワー吐水部の各シャワー孔から吐水される位置との間で切替えを行うものとなしてあることを特徴とする水栓設備におけるシャワー吐水装置。
【請求項５】
請求項４において、前記切替手段が、吐水方向の軸心に対して略直角方向に前記第２シャワー吐水部を前記第１シャワー吐水部に対して相対移動させることにより前記切替えを行うものとなしてあることを特徴とする水栓設備におけるシャワー吐水装置。
【請求項６】
請求項４において、前記切替手段が、吐水方向の軸心の回りに前記第２シャワー吐水部を前記第１シャワー吐水部に対して相対回転移動させることにより前記切替えを行うものとなしてあることを特徴とする水栓設備におけるシャワー吐水装置。
【請求項７】
請求項５，６の何れかにおいて、前記第１シャワー吐水部と第２シャワー吐水部との間には水室構成用の間隙が形成してあり、該第１シャワー吐水部からのシャワー流で該間隙が水で満たされて該水室が構成され、該水室内の水が該第２シャワー吐水部から前記第２パターンのシャワー流として流出するようになしてあることを特徴とする水栓設備におけるシャワー吐水装置。
【請求項８】
請求項４において、前記切替手段が、前記第２シャワー吐水部を前記第１シャワー吐水部に対して吐水方向に相対移動させることにより前記切替えを行うものとなしてあることを特徴とする水栓設備におけるシャワー吐水装置。
【請求項９】
請求項８において、前記第２シャワー吐水部が前記第１シャワー吐水部に対して相対的に離間方向に移動したとき、それら第１シャワー吐水部と第２シャワー吐水部との間に水室構成用の間隙が形成され、該第１シャワー吐水部からのシャワー流で該間隙が水で満たされて該水室が構成され、該水室内の水が該第２シャワー吐水部から前記第２パターンのシャワー流として流出するようになしてあることを特徴とする水栓設備におけるシャワー吐水装置。
【請求項１０】
請求項４〜９の何れかにおいて、前記第２シャワー吐水部のシャワー孔の大きさが、前記第１シャワー吐水部におけるシャワー孔の少なくとも下流側の開口よりも大きいことを特徴とする水栓設備におけるシャワー吐水装置。
【請求項１１】
（イ）多数のシャワー孔から設定した第１パターンのシャワー流を流出させる第１シャワー吐水部と、（ロ）多数のシャワー孔から該第１パターンとは異なる第２パターンのシャワー流を流出させる、シャワー流のパターンの変換部としての第２シャワー吐水部と、（ハ）シャワー吐水を該第１パターンのシャワー流と該第２パターンのシャワー流との間で切り替える切替手段とを有しており、
前記第１シャワー吐水部と第２シャワー吐水部とは吐水方向に重複した状態で背中合せに且つ吐水方向の軸心と略直角方向の軸心回りに回転可能に配置されているとともに、前記切替手段が、それら第１シャワー吐水部と第２シャワー吐水部とを一体に該略直角方向の軸心回りに回転させて、該第２シャワー吐水部が下流側となる位置と、該第１シャワー吐水部が下流側となる位置との間で切替えを行うものとなしてあることを特徴とする水栓設備におけるシャワー吐水装置。
【請求項１２】
請求項１１において、前記第１シャワー吐水部のシャワー孔と前記第２シャワー吐水部のシャワー孔とは連続した孔を形成していることを特徴とする水栓設備におけるシャワー吐水装置。
【請求項１３】
請求項１〜１２の何れかにおいて、前記第１パターンのシャワー流が吐水方向の軸心に対して外向きに広がる方向の拡散シャワー流、前記第２パターンのシャワー流が相対的に内向き方向のストレートシャワー流若しくはその逆であることを特徴とする水栓設備におけるシャワー吐水装置。
【発明の詳細な説明】
【技術分野】
【０００１】
この発明は水栓設備におけるシャワー吐水装置に関し、詳しくは異なったパターンのシャワー流でシャワー吐水を行うことのできるシャワー吐水装置に関する。
【背景技術】
【０００２】
近年、例えばキッチン水栓等においては吐水ヘッドにシャワー吐水を行うシャワー吐水装置が備えられたものが用いられるようになって来ている。
しかしながら従来用いられているシャワー吐水装置は単一種類のシャワー吐水部しか備えておらず、得られるシャワー吐水が１パターンのみであって使い勝手の点で不十分なものであった。
【０００３】
このようなことから、下記特許文献１には吐水ヘッドに異なったパターンのシャワー流でシャワー吐水が可能なシャワー吐水装置を備えた点が開示されている。
図１３及び図１４はその具体例を示している。
図１３において２００は吐水ヘッドで、２０２は第１シャワー吐水部、２０４は第２シャワー吐水部、２０５Ａ，２０５Ｂ，２０５Ｃは吐水パターン切替用の操作ボタンである。
【０００４】
このシャワー吐水装置では、図１４に示しているように操作ボタン２０５Ｃを押すと、弁体２０６-１が弁座２０８上を移動して（ロ）に示しているように流路２１０Ｃが開放され、吐水ヘッド２００に送られた水が流路２１０Ｃから第１シャワー吐水部２０２に到って、そこから吐水方向の軸心と平行方向にストレートシャワー吐水される。
【０００５】
一方操作ボタン２０５Ａを押すと、弁体２０６-２が弁座２０８上を移動して対応する流路２１０Ａが開放され、ここにおいて吐水ヘッド２００に送られた水が流路２１０Ａから第２シャワー吐水部２０４に到って、そこから拡散シャワー吐水、即ち吐水方向の軸心に対して外向きに広がる方向の拡散シャワー流として吐水される。
【０００６】
しかしながらここに示すシャワー吐水装置の場合、第１シャワー吐水部２０２，第２シャワー吐水部２０４が別々に設けてあることから、それら第１シャワー吐水部２０２，第２シャワー吐水部２０４それぞれによる吐水面積（吐水空間）が狭くならざるを得ないとともに、それぞれにおけるシャワー孔の孔数が制限され、快適なシャワー吐水の実現が困難である問題がある。
【０００７】
また第１シャワー吐水部２０２からのシャワー吐水と、第２シャワー吐水部２０４からのシャワー吐水との切替えを行う切替手段の切替機構が複雑となり、そしてこれに伴ってシャワー吐水装置全体が必然的に大型化してしまい、美観を損ねたりまたデザインの自由度が制限されたりする問題を内包する。
【０００８】
【特許文献１】特開２００２−４３６８号公報
【発明の開示】
【発明が解決しようとする課題】
【０００９】
本発明はこのような事情を背景とし、小型化が可能であって美観に優れ、しかも快適なシャワー吐水を実現することのできる、複数パターンのシャワー流でのシャワー吐水が可能な水栓設備におけるシャワー吐水装置を提供することを目的としてなされたものである。
【課題を解決するための手段】
【００１０】
而して請求項１のものは、多数のシャワー孔から設定した第１パターンのシャワー流を流出させるシャワー吐水部と、該第１パターンのシャワー流をこれとは異なる第２パターンのシャワー流に変換する変換部と、該シャワー吐水部と該変換部との相対移動によりシャワー流を該第１パターンのシャワー流から該第２パターンのシャワー流に若しくはその逆に切り替える切替手段とを有していることを特徴とする。
【００１１】
請求項２のものは、請求項１において、前記変換部は前記シャワー吐水部におけるシャワー孔の形状を変更することによってシャワー流のパターンを変更するものであることを特徴とする。
【００１２】
請求項３のものは、請求項１，２の何れかにおいて、前記切替手段は前記変換部を前記シャワー吐水部に対して吐水方向に相対移動させることによって前記切替えを行うものとなしてあることを特徴とする。
【００１３】
請求項４のものは、（イ）多数のシャワー孔から設定した第１パターンのシャワー流を流出させる第１シャワー吐水部と、（ロ）多数のシャワー孔から該第１パターンとは異なる第２パターンのシャワー流を流出させる、シャワー流のパターンの変換部としての第２シャワー吐水部と、（ハ）シャワー吐水を該第１パターンのシャワー流と該第２パターンのシャワー流との間で切り替える切替手段とを有しており、前記第１シャワー吐水部は吐水方向の上流側に、前記第２シャワー吐水部は下流側に配置されているとともに、前記切替手段が該第１シャワー吐水部に対する該第２シャワー吐水部の相対関係位置を、該第１シャワー吐水部からの前記第１パターンのシャワー流が該第２シャワー吐水部に当ることなくそのまま該第２シャワー吐水部の前記シャワー孔を通過して吐水される位置と、該第２シャワー吐水部に当って該第２シャワー吐水部により前記第２パターンのシャワー流に変換されて、該第２シャワー吐水部の各シャワー孔から吐水される位置との間で切替えを行うものとなしてあることを特徴とする。
【００１４】
請求項５のものは、請求項４において、前記切替手段が、吐水方向の軸心に対して略直角方向に前記第２シャワー吐水部を前記第１シャワー吐水部に対して相対移動させることにより前記切替えを行うものとなしてあることを特徴とする。
【００１５】
請求項６のものは、請求項４において、前記切替手段が、吐水方向の軸心の回りに前記第２シャワー吐水部を前記第１シャワー吐水部に対して相対回転移動させることにより前記切替えを行うものとなしてあることを特徴とする。
【００１６】
請求項７のものは、請求項５，６の何れかにおいて、前記第１シャワー吐水部と第２シャワー吐水部との間には水室構成用の間隙が形成してあり、該第１シャワー吐水部からのシャワー流で該間隙が水で満たされて該水室が構成され、該水室内の水が該第２シャワー吐水部から前記第２パターンのシャワー流として流出するようになしてあることを特徴とする。
【００１７】
請求項８のものは、請求項４において、前記切替手段が、前記第２シャワー吐水部を前記第１シャワー吐水部に対して吐水方向に相対移動させることにより前記切替えを行うものとなしてあることを特徴とする。
【００１８】
請求項９のものは、請求項８において、前記第２シャワー吐水部が前記第１シャワー吐水部に対して相対的に離間方向に移動したとき、それら第１シャワー吐水部と第２シャワー吐水部との間に水室構成用の間隙が形成され、該第１シャワー吐水部からのシャワー流で該間隙が水で満たされて該水室が構成され、該水室内の水が該第２シャワー吐水部から前記第２パターンのシャワー流として流出するようになしてあることを特徴とする。
【００１９】
請求項１０のものは、請求項４〜９の何れかにおいて、前記第２シャワー吐水部のシャワー孔の大きさが、前記第１シャワー吐水部におけるシャワー孔の少なくとも下流側の開口よりも大きいことを特徴とする。
【００２０】
請求項１１のものは、（イ）多数のシャワー孔から設定した第１パターンのシャワー流を流出させる第１シャワー吐水部と、（ロ）多数のシャワー孔から該第１パターンとは異なる第２パターンのシャワー流を流出させる、シャワー流のパターンの変換部としての第２シャワー吐水部と、（ハ）シャワー吐水を該第１パターンのシャワー流と該第２パターンのシャワー流との間で切り替える切替手段とを有しており、前記第１シャワー吐水部と第２シャワー吐水部とは吐水方向に重複した状態で背中合せに且つ吐水方向の軸心と略直角方向の軸心回りに回転可能に配置されているとともに、前記切替手段が、それら第１シャワー吐水部と第２シャワー吐水部とを一体に該略直角方向の軸心回りに回転させて、該第２シャワー吐水部が下流側となる位置と、該第１シャワー吐水部が下流側となる位置との間で切替えを行うものとなしてあることを特徴とする。
【００２１】
請求項１２のものは、請求項１１において、前記第１シャワー吐水部のシャワー孔と前記第２シャワー吐水部のシャワー孔とは連続した孔を形成していることを特徴とする。
【００２２】
請求項１３のものは、請求項１〜１２の何れかにおいて、前記第１パターンのシャワー流が吐水方向の軸心に対して外向きに広がる方向の拡散シャワー流、前記第２パターンのシャワー流が相対的に内向き方向のストレートシャワー流若しくはその逆であることを特徴とする。
【発明の作用・効果】
【００２３】
以上のように請求項１のシャワー吐水装置は、第１パターンのシャワー流を流出させるシャワー吐水部に加えて、第１パターンのシャワー流をこれとは異なる第２パターンのシャワー流に変換する変換部と、その変換部及びシャワー吐水部との相対移動によりシャワー流の切替えを行う切替手段とを設けたものである。
かかる請求項１のシャワー吐水装置によれば、特許文献１のシャワー吐水装置のように別々の箇所からではなく、切替手段による切替えによって同一のシャワー孔から異なったパターンのシャワー流でシャワー吐水を行うことが可能となり、これにより何れのパターンでのシャワー吐水の場合にも広い吐水面積を確保することができるとともにシャワー孔の孔数を多くすることができ、快適なシャワー吐水を実現することができる。
【００２４】
またこの請求項１のシャワー吐水装置では、切替手段は変換部とシャワー吐水部との相対関係位置を変化させるだけで良いため、かかる切替手段における切替機構を簡単な構造でシンプルに構成でき、これによりシャワー吐水装置をコンパクトなものとなし得て美観を良好となし、またデザインの自由度を高めることができる。
【００２５】
ここで変換部は、シャワー吐水部におけるシャワー孔の形状を変更することによってシャワー流のパターンを変更するものとなしておくことができる（請求項２）。
また切替手段は、この変換部をシャワー吐水部に対し吐水方向に相対移動させることによって上記切替えを行うものとなしておくことができる（請求項３）。
【００２６】
次に請求項４のシャワー吐水装置は、第１パターンのシャワー流を流出させる第１シャワー吐水部と、これとは異なった第２パターンのシャワー流を流出させる第２シャワー吐水部とを吐水方向において上流側と下流側とに配置し、そして切替手段によって第１パターンのシャワー流から第２パターンのシャワー流に若しくはその逆に切り替えるようになしたものである。
かかる請求項４のシャワー吐水装置においても、特許文献１のシャワー吐水装置のように別々の箇所からではなく、切替手段による切替えによって同一のシャワー孔から異なったパターンのシャワー流でシャワー吐水を行うことが可能となり、これにより何れのパターンでのシャワー吐水の場合にも広い吐水面積を確保することができるとともにシャワー孔の孔数を多くすることができ、快適なシャワー吐水を実現することができる。
【００２７】
またこの請求項４のシャワー吐水装置では、切替手段は第１シャワー吐水部に対する第２シャワー吐水部の相対関係位置を変化させるだけで良いため、かかる切替手段における切替機構を簡単な構造でシンプルに構成でき、これによりシャワー吐水装置をコンパクトなものとなし得て美観を良好となし、またデザインの自由度を高めることができる。
【００２８】
本発明において、上記切替手段は、吐水方向の軸心に対して略直角方向に第２シャワー吐水部を第１シャワー吐水部に対して相対移動させることで切替えを行うものとなしておくことができる（請求項５）。
或いはまたこの切替手段を、吐水方向の軸心の回りに第２シャワー吐水部を第１シャワー吐水部に対して相対回転移動させることで切替えを行うものとなしておくことができる（請求項６）。
【００２９】
請求項７は、第１シャワー吐水部と第２シャワー吐水部との間に水室構成用の間隙を形成し、第１シャワー吐水部からのシャワー流でその間隙を水で満たして水室を構成し、そしてその水室内の水を第２シャワー吐水部から流出させることによって、第２パターンのシャワー流でシャワー吐水させるようにしたもので、このようになした場合、第１シャワー吐水部からの第１パターンのシャワー流を容易に第２シャワー吐水部にて第２パターンのシャワー流に変換することができる。
【００３０】
本発明においてはまた、切替手段を、第２シャワー吐水部を第１シャワー吐水部に対して吐水方向に相対移動させ、これにより切替えを行うものとなしておくことができる（請求項８）。
この場合において、第２シャワー吐水部が第１シャワー吐水部に対して相対的に離間方向に移動したとき、それら第１シャワー吐水部と第２シャワー吐水部との間に水室を構成して、その水室内の水を第２シャワー吐水部から第２パターンのシャワー流として吐水するようになすことができる（請求項９）。
この場合においても第１シャワー吐水部からの第１パターンのシャワー流を容易に第２シャワー吐水部にて第２パターンのシャワー流に変換することができる。
【００３１】
これら請求項４〜９において、第２シャワー吐水部のシャワー孔の大きさは、第１シャワー吐水部のシャワー孔の少なくとも下流側の開口よりも大きいものとなしておくことができる（請求項１０）。
このようにしておくことで、第１シャワー吐水部からの第１パターンのシャワー流を、そのまま第２シャワー吐水部を通過して外部にシャワー吐水させることができる。
【００３２】
次に請求項１１は、第１シャワー吐水部と第２シャワー吐水部とを吐水方向に重複した状態で背中合せに設けておき、切替手段によりこれらを回転させることで、シャワー吐水を第１パターンのシャワー流と第２パターンのシャワー流との間で切り替えるようになしたもので、この場合においても吐水面積を広く確保することができるとともにシャワー孔の孔数を多くすることができ、快適なシャワー吐水を実現することができる。
また切替手段における切替機構を簡単な構造でシンプルに構成でき、以ってシャワー吐水装置をコンパクトなものとなし得て美観を良好となし、またデザインの自由度を高めることができる。
【００３３】
この場合において、第１シャワー吐水部のシャワー孔と第２シャワー吐水部のシャワー孔とを連続した孔として形成しておくことができる（請求項１２）。
【００３４】
ここで上記第１パターンのシャワー流は吐水方向の軸心に対して外向きに広がる方向の拡散シャワー流となし、また第２パターンのシャワー流を相対的に内向き方向のストレートシャワー流若しくはその逆となしておくことができる（請求項１３）。
【発明を実施するための最良の形態】
【００３５】
次に本発明の実施形態を図面に基づいて以下に詳しく説明する。
図１において、１０はキッチンの流し台、１２はシンク、１４はキャビネット、１６はカウンターで、このカウンター１６上にキッチン水栓（水栓設備）１８が設置されている。
【００３６】
この例において、キッチン水栓１８はシングルレバー式の混合水栓で、２０は水栓本体であり、その上部に操作レバー２２が左右及び上下に回動可能に設けられている。
水栓本体２０からは吐水管２４がシンク１２上方に向けて前方に延び出しており、その先端部の吐水ヘッド２６に本実施形態のシャワー吐水装置２８が設けられている。
【００３７】
図２にこのシャワー吐水装置２８の具体的な構成が示してある。
同図に示しているようにシャワー吐水装置２８は、円筒状の継手本体３０と、円筒状をなす筒部材３２と、回転により筒部材３２を図２（Ａ）中上下方向即ち吐水方向に移動操作する円筒状の操作リング３４とを主要素として有している。
【００３８】
継手本体３０の上端部外周面には雄ねじが形成されており、この雄ねじにおいて継手本体３０がねじリング３８により吐水ヘッド２６の吐水口用の開口部３６に取り付けられている。
詳しくは、ねじリング３８の内周面には雌ねじが形成されていて、その雌ねじに継手本体３０の上端部外周面の雄ねじが螺合され、またねじリング３８の外周面には雄ねじが形成されていて、この雄ねじが開口部３６内周面に形成された雌ねじに螺合されており、かかるねじリング３８を介して継手本体３０が吐水ヘッド２６に取り付けられている。
【００３９】
ここで継手本体３０と吐水ヘッド２６の中心口４０との間は、環状の弾性を有するシール部材４２にて水密にシールされている。
また円筒状をなす継手本体３０の内部には、異物のろ過を行うためのストレーナ４４が流路を横切る状態で配設されている。
【００４０】
操作リング３４の上端部には内向きのフランジ部４６が設けられており、このフランジ部４６が、継手本体３０の外周面に形成された環状溝４８に回転可能に嵌合されている。
操作リング３４は、これらフランジ部４６と環状溝４８との嵌合に基づいて、継手本体３０により抜止状態且つ回転可能な状態に支持されている。
【００４１】
この操作リング３４にはまた、その内周面に２条の螺旋状の案内溝４９が形成されている。
一方上記筒部材３２の外周面には、対応する２条の螺旋状の突条５０が設けられていて、これら突条５０が案内溝４９に摺動可能に嵌合されている。
筒部材３２は、これら案内溝４９と突条５０との案内作用によって、操作リング３４の回転に伴い図２（Ａ）中上下方向に移動させられる。
【００４２】
尚、操作リング３４の回転時に筒部材３２が共回りしないように、この実施形態では筒部材３２に内向きのスライド爪５２が設けられており、このスライド爪５２が、継手本体３０の外周面に形成された縦のキー溝５４に図中上下方向に摺動可能に係入させられている。
【００４３】
また筒部材３２の下端部には、内向きに突出し且つその上面がテーパ面とされたテーパ部６４が形成されており、筒部材３２の上昇時において、このテーパ部６４が継手本体３０の下端部外周のテーパ部に当接するようになっている。
【００４４】
継手本体３０の底部には、第１シャワー吐水部５６が一体に構成されている。また筒部材３２の底部には、第２シャワー吐水部５８が一体に構成されている。
これら第１シャワー吐水部５６と第２シャワー吐水部５８とには、それぞれ多数のシャワー孔６０，６２が分散配置されている。
【００４５】
ここで第１シャワー吐水部５６のシャワー孔６０は、図３中（Ｂ）にその形状を拡大して示しているように、その通過水を吐水方向の軸心に対して外向きに広がる方向の拡散シャワー流として流出する形状とされている。
一方第２シャワー吐水部５８のシャワー孔６２は、図３中（Ｂ）の部分拡大図に示しているように、その通過水を吐水方向の軸心に対して平行方向の、即ち拡散シャワー流に対し相対的に内向き方向のストレートシャワー流として流出する形状とされている。
【００４６】
この実施形態においては、図３（Ｉ）に示すように第２シャワー吐水部５８が上昇位置にあって、第１シャワー吐水部５６とほぼ隙間なく重なり合った状態のとき、第２シャワー吐水部５８の各シャワー孔６２が第１シャワー吐水部５６の各シャワー孔６０に合致した状態となる。第１シャワー吐水部５６におけるシャワー孔６０及び第２シャワー吐水部５８におけるシャワー孔６２がそれぞれそのように配置されている。
ここで第２シャワー吐水部５８におけるシャワー孔６２は、第１シャワー吐水部５６におけるシャワー孔６０の下流側の開口よりも大きな孔径で形成されている。
【００４７】
次に本実施形態のシャワー吐水装置２８の作用を説明する。
本実施形態では、操作リング３４を回転操作して筒部材３２を図２（Ａ）中上下方向即ち吐水方向に相対移動させることによって、シャワー吐水を設定した第１パターンの拡散シャワー流として吐水し、或いは吐水方向の軸心と平行方向の第２パターンのストレートシャワー流として吐水することができる。
即ち拡散シャワー吐水とストレートシャワー吐水との間でその切替えを行うことができる。
【００４８】
図３（Ｉ）は拡散シャワー吐水のときの状態を表しており、このとき筒部材３２即ち第２シャワー吐水部５８が上昇位置にあって、第１シャワー吐水部５６に対し最も接近した位置且つほぼ隙間なく重なり合った状態にあり、このとき第１シャワー吐水部５６から流出した拡散シャワー流は、第２シャワー吐水部５８に当ることなく、そのまま第２シャワー吐水部５８の各シャワー孔６２を通過し、拡散シャワー流として外部に吐水（拡散シャワー吐水）される。
【００４９】
一方図３（II）に示しているように筒部材３２が下降位置にあるとき、即ち第２シャワー吐水部５８が第１シャワー吐水部５６から下向きに離間した位置にあるとき、第１シャワー吐水部５６から流出した拡散シャワー流は、第２シャワー吐水部５８に当って跳返りを生じ、それら第１シャワー吐水部５６と第２シャワー吐水部５８との間の間隙Ｓがその跳ね返った水で充満する。
【００５０】
ここにおいて第１シャワー吐水部５６と第２シャワー吐水部５８との間に水室６６が構成され、この水室６６内の水が第２シャワー吐水部５８の各シャワー孔６２から下向きに流出して、そこに第２パターンのストレートシャワー流を生ぜしめる。
即ち第１パターンの拡散シャワー流が第２パターンのストレートシャワー流に変換されて、シャワー吐水装置２８からシャワー吐水される。
【００５１】
以上のように本実施形態では筒部材３２及び操作リング３４，それらに設けられた案内溝４９，突条５０、更にフランジ部４６，環状溝４８等にて切替手段が構成されている。
【００５２】
以上のような本実施形態のシャワー吐水装置２８によれば、図１３，図１４のシャワー吐水装置のように別々の箇所からではなく、同一のシャワー孔６０，６２から異なったパターンのシャワー流（拡散シャワー流，ストレートシャワー流）でシャワー吐水を行うことができ、これにより何れのパターンでのシャワー吐水の場合にも広い吐水面積を確保することができるとともにシャワー孔６０，６２の孔数を多くすることができ、快適なシャワー吐水を実現することができる。
【００５３】
またこのシャワー吐水装置２８において、拡散シャワー流若しくはストレートシャワー流への切替えは、操作リング３４を回転操作して第１シャワー吐水部５６に対する第２シャワー吐水部５８の相対関係位置を変化させるだけで行うことができるため、切替機構を簡単な構造でシンプルに構成でき、これによりシャワー吐水装置２８をコンパクトなものとなし得て美観を良好となし、またデザインの自由度を高めることができる。
【００５４】
本実施形態ではまた、第２シャワー吐水部５８が第１シャワー吐水部５６に対して吐水方向に相対的に離間移動したとき、第１シャワー吐水部５６と第２シャワー吐水部５８との間に水室６６を構成し、その水室６６内の水を第２シャワー吐水部５８から第２パターンのシャワー流として吐水するようにしていることから、第１シャワー吐水部５６からの拡散シャワー流を容易にストレートシャワー流に変換することができる。
【００５５】
また本実施形態では、第２シャワー吐水部５８のシャワー孔６２の孔径を、第１シャワー吐水部５６のシャワー孔６０の下流側の開口の孔径よりも大きいものとしているため、第１シャワー吐水部５６からの拡散シャワー流を、その流れを乱すことなくそのまま第２シャワー吐水部５８を通過して外部にシャワー吐水することができる。
【００５６】
尚、本実施形態では第１パターンのシャワー流を拡散シャワー流、第２パターンのシャワー流をストレートシャワー流となしているが、その逆、即ち第１パターンのシャワー流をストレートシャワー流、第２パターンのシャワー流を拡散シャワー流となすこともできる。この点は以下の実施形態においても同様である。
【００５７】
図４は本発明の他の実施形態を示している。
この実施形態では、第１シャワー吐水部５６に突出部６８が設けられており、（Ｉ）に示すように拡散シャワー吐水時においてこの突出部６８が第２シャワー吐水部５８におけるシャワー孔６２に嵌合するようになっている。
【００５８】
この実施形態では、（Ｉ）に示すように第２シャワー吐水部５８が上昇位置にあるとき、第１シャワー吐水部５６の突出部６８が第２シャワー吐水部５８のシャワー孔６２に嵌合した状態となって、第１シャワー吐水部５６からの拡散シャワー流が、第２シャワー吐水部５８に当ることなくそのまま第２シャワー吐水部５８の各シャワー孔６２を通過してシャワー吐水（拡散シャワー吐水）される。
【００５９】
一方、（II）に示すように第２シャワー吐水部５８が下降位置にあるときには、第１シャワー吐水部５６と第２シャワー吐水部５８との間に水室６６が構成され、第１シャワー吐水部５６からの拡散シャワー流がそこで吸収された上、その水室６６内の水が第２シャワー吐水部５８の各シャワー孔６２から吐水方向の軸心と平行方向のストレートシャワー流として下向きに吐水（ストレートシャワー吐水）される。
この実施形態においても上記実施形態と同様の効果が得られる。
【００６０】
図５は本発明の更に他の実施形態を示している。
この実施形態は、筒部材３２にシャワー孔６０を有する第１シャワー吐水部５６を一体に構成する一方、継手本体３０側に、通孔７２を有する変換部（シャワー流のパターンの変換部）７４を一体に構成した例である。
【００６１】
ここで変換部７４には下向きの突出部７６が設けてあり且つその先端部はテーパ部７８とされていて、図５（II）に示すストレートシャワー吐水時において、そのテーパ部７８をシャワー孔６０内に嵌入させることによって、ストレートシャワー吐水時におけるシャワー孔６０の形状を、吐水方向の軸心と平行方向のストレート形状に形状変更する。
【００６２】
従ってこの実施形態では、（Ｉ）に示すように変換部７４と第１シャワー吐水部５６とが吐水方向に離間した状態の下では、第１シャワー吐水部５６からの拡散シャワー流がそのまま拡散シャワー吐水される。
【００６３】
一方（II）に示すように第１シャワー吐水部５６と変換部７４とが吐水方向即ち図中上下方向に接近して、変換部７４における突出部７６のテーパ部７８がシャワー孔６０に入り込み、シャワー孔６０の一部を埋めた状態の下では、第１シャワー吐水部５６におけるシャワー孔６０の形状が上記ストレート形状のシャワー孔６０Ｆとなって、このときには第１シャワー吐水部５６から吐水方向の軸心と平行方向のストレートシャワー流が吐水（ストレートシャワー吐水）される。
【００６４】
本実施形態のシャワー吐水装置２８においても、図１３，１４のシャワー吐水装置のように別々の箇所からではなく、同一のシャワー孔６０から異なったパターンのシャワー流（拡散シャワー流，ストレートシャワー流）でシャワー吐水を行うことができ、これにより何れのパターンでのシャワー吐水の場合にも広い吐水面積を確保することができるとともにシャワー孔６０の孔数を多くすることができ、快適なシャワー吐水を実現することができる。
【００６５】
またこのシャワー吐水装置２８において、拡散シャワー流若しくはストレートシャワー流への切替えは、変換部７４と第１シャワー吐水部５６との相対関係位置を変化させるだけで行うことができ、この場合においても切替機構を簡単な構造でシンプルに構成でき、これによりシャワー吐水装置２８をコンパクトなものとなし得て美観を良好となし、またデザインの自由度を高めることができる。
【００６６】
図６は本発明の更に他の実施形態を示している。
この実施形態は、スライドプレート７９に第２シャワー吐水部５８を一体に構成し、そしてスライドプレート７９をスライド移動させることによって、第１シャワー吐水部５６に対して第２シャワー吐水部５８を、吐水方向の軸心と直角方向にスライド移動させるようにし、そしてそのスライド移動によって拡散シャワー吐水とストレートシャワー吐水とを切り替えるようになしたものである。
即ちこの実施形態ではスライドプレート７９が切替手段を構成している。
【００６７】
図６（Ｉ）は拡散シャワー吐水時の状態を表しており、このときには第１シャワー吐水部５６のシャワー孔６０と第２シャワー吐水部５８のシャワー孔６２とは合致した状態にあって、シャワー孔６０からのシャワー流はそのままシャワー孔６２を通過して吐水される。
即ち第１シャワー吐水部５６からの拡散シャワー流が、第２シャワー吐水部５８によってその流れが変えられることなく、そのまま吐水（拡散シャワー吐水）される。
【００６８】
一方（II）のストレートシャワー吐水時においては、シャワー孔６０と６２とが不一致となって、シャワー孔６０からのシャワー流は第２シャワー吐水部５８に当って第１シャワー吐水部５６と第２シャワー吐水部５８との間の間隙Ｓを水で満たし、水室６６を構成する。
そしてその水室６６内の水が、第２シャワー吐水部５８のシャワー孔６２からそのまま真直ぐ下向きにストレートシャワー吐水される。
【００６９】
図７は本発明の更に他の実施形態を示している。
この実施形態では、第１シャワー吐水部５６におけるシャワー孔６０を吐水方向の軸心と平行方向のストレート形状となして、第１シャワー吐水部５６からのシャワー流をストレートシャワー流となす一方、第２シャワー吐水部５８におけるシャワー孔６２を斜めの孔として、第２シャワー吐水部５８から拡散シャワー流を流出（拡散シャワー吐水）させるようになした例である。
尚この実施形態においても、図６の実施形態と同様、第１シャワー吐水部５６に対して第２シャワー吐水部５８を吐水方向の軸心と直角方向にスライド移動可能となしてある。
【００７０】
図７において、（Ｉ）は拡散シャワー吐水時を表しており、このとき第１シャワー吐水部５６からのストレートシャワー流は、水室６６を経て第２シャワー吐水部５８のシャワー孔６２から拡散シャワー流として吐水される。
一方（II）はストレートシャワー吐水時の状態を表しており、このときには第１シャワー吐水部５６からのストレートシャワー流は、第２シャワー吐水部５８に当ることなくそのまま第２シャワー吐水部５８のシャワー孔６２を通過して下向きにストレートシャワー流として吐水される。
【００７１】
図６及び図７の実施形態では、第２シャワー吐水部５８を第１シャワー吐水部５６に対して吐水方向の軸心と直角方向にスライド移動させることによりシャワー流のパターンを切り替えるようにしているが、図８の実施形態では、吐水方向の軸心回りに第２シャワー吐水部５８を第１シャワー吐水部５６に対して相対回転移動させることで、そのシャワー流のパターンを切り替えるようになしている。
【００７２】
この場合、第２シャワー吐水部５８を第１シャワー吐水部５６に対して相対回転移動させたときの第１シャワー吐水部５６のシャワー孔６０の位置が、第２シャワー吐水部５８のシャワー孔６２と半径方向に合致する位置或いは異なった位置に位置するものとなしておくことで、上記と同様にして拡散シャワー吐水とストレートシャワー吐水とを切り替えることができる。
【００７３】
この図６〜図８の実施形態では、第１シャワー吐水部５６と第２シャワー吐水部５８との間に構成された水室６６内の水を、第２シャワー吐水部５８から流出させることで、第１シャワー吐水部５６からの拡散シャワー流若しくはストレートシャワー流（第１パターン）を第２シャワー吐水部５８にて容易にストレートシャワー流若しくは拡散シャワー流（第２パターン）に変換することができる。
【００７４】
図９〜図１１は本発明の更に他の実施形態を示している。
この実施形態において、継手本体３０は上端部外周面の雄ねじにおいて吐水ヘッド２６の開口部３６の雌ねじに直接ねじ結合されている。
この継手本体３０は、その中心部に図中上下の空間を連通させる連通孔８２が設けられているとともに、その外周面には筒部材３２が嵌合されて、この筒部材３２が図１０の止ねじ８０にて抜止状態に固定されている。
【００７５】
そしてこの筒部材３２の下端部には、多数の斜孔を有する回転体８４が吐水方向の軸心と直角方向の軸心回りに回転可能に設けられている。
具体的には、この回転体８４からは軸８６が図中右向きに延び出していて、その軸８６に操作つまみ８８が固定具としてのナット９０により筒部材３２の外側において一体回転状態に固定されている。
【００７６】
本実施形態において、回転体８４の図９（Ａ）中下部は拡散シャワー流を流出する第１シャワー吐水部５６として構成され、またその上部は相対的に内向き方向のストレートシャワー流を流出する第２シャワー吐水部５８として構成されている。
そしてこれに応じて、回転体８４における斜孔の図９（Ａ）中下部は、拡散シャワー流を流出するためのシャワー孔６０を成しており、またその上部は内向き方向のストレートシャワー流を流出するためのシャワー孔６２を成している。
【００７７】
即ち本実施形態では、第１シャワー吐水部５６と第２シャワー吐水部５８とが吐水方向に重複した状態で互いに背中合せで一体に構成されており、そして第１シャワー吐水部５６におけるシャワー孔６０と、第２シャワー吐水部５８におけるシャワー孔６２とが連続した孔として形成されている。
【００７８】
この実施形態では、図１０に示しているように回転体８４を１８０°回転し、回転体８４の図中上下の向きを図９，図１１（Ｉ）に示す状態としたとき、シャワー流は拡散シャワー流となって吐水される。
また一方図１１（II）に示す状態としたとき、即ち第１シャワー吐水部５６が図中上向き、第２シャワー吐水部５８が下向きの状態となったときには、シャワー流は内向きの流れとなってストレートシャワー流となり吐水される。
尚本実施形態では軸８６，操作つまみ８８，ナット９０等にて切替手段が構成されている。
【００７９】
これら図９〜図１１に示す実施形態では、シャワー孔６０及び６２が何れも同一傾斜角度の連続した斜孔にて構成されているが、図１２に示す実施形態のように、回転体８４を貫通する孔を途中で屈曲させて、シャワー孔６０と６２とをそれぞれ連続した孔として形成しても良い。
【００８０】
ここで一方のシャワー孔６２は吐水方向の軸心と平行方向を向いた孔とされており、図１２（II）に示すストレートシャワー吐水時においては、シャワー孔６２からのシャワー流が吐水方向の軸心と平行方向のストレート流となる。
【００８１】
本実施形態のシャワー吐水装置２８においても吐水面積を広く確保することができるとともにシャワー孔６０，６２の孔数を多くすることができ、快適なシャワー吐水を実現することができる。
またこのシャワー吐水装置２８においても、シャワー吐水を拡散シャワー流とストレートシャワー流との間で切り替えるに際し、切替手段における切替機構を簡単な構造でシンプルに構成でき、以ってシャワー吐水装置２８をコンパクトなものとなし得て美観を良好となし、またデザインの自由度を高めることができる。
【００８２】
以上本発明の実施形態を詳述したがこれはあくまで一例示であり、本発明はその趣旨を逸脱しない範囲において種々変更を加えた形態で構成可能である。
【図面の簡単な説明】
【００８３】
【図１】本発明の一実施形態のシャワー吐水装置をキッチン水栓及び流し台とともに示す図である。
【図２】同実施形態のシャワー吐水装置を示す図である。
【図３】同実施形態のシャワー吐水装置の作用説明図である。
【図４】本発明の他の実施形態を示す図である。
【図５】本発明の更に他の実施形態を示す図である。
【図６】本発明の更に他の実施形態を示す図である。
【図７】本発明の更に他の実施形態を示す図である。
【図８】本発明の更に他の実施形態を示す図である。
【図９】本発明の更に他の実施形態を示す図である。
【図１０】図９の実施形態における回転体の回転を示す図である。
【図１１】図９の実施形態の作用説明図である。
【図１２】本発明の更に他の実施形態を示す図である。
【図１３】従来のシャワー吐水装置を示す図である。
【図１４】図１３のシャワー吐水装置の作用説明図である。
【符号の説明】
【００８４】
１８  キッチン水栓（水栓設備）
２８  シャワー吐水装置
３２  筒部材
３４  操作リング
４６  フランジ部
４８  環状溝
４９  案内溝
５０  突条
５６  第１シャワー吐水部
５８  第２シャワー吐水部
６０，６０Ｆ，６２  シャワー孔
６６  水室
７４  変換部
７９  スライドプレート
８４  回転体
８６  軸
８８  操作つまみ
９０  ナット
Ｓ   間隙
【図１】
2005226410.tif 000003
【図２】
2005226410.tif 000004
【図３】
2005226410.tif 000005
【図４】
2005226410.tif 000006
【図５】
2005226410.tif 000007
【図６】
2005226410.tif 000008
【図７】
2005226410.tif 000009
【図８】
2005226410.tif 000010
【図９】
2005226410.tif 000011
【図１０】
2005226410.tif 000012
【図１１】
2005226410.tif 000013
【図１２】
2005226410.tif 000014
【図１３】
2005226410.tif 000015
【図１４】
2005226410.tif 000016